(57)【要約】【課題】  携帯端末装置が現在位置を示す情報を受信できないときでも、セルサーチ時間の短縮および省電力を図ることが可能な携帯端末装置およびそのセルサーチ方法を提供する。【解決手段】  ＣＰＵ５は、キー入力部３がユーザから現在位置を受け付けると、メモリー２に格納されている地域情報２ａの中から、その受け付けられた現在位置が含まれる地域を示す地域情報２ａを特定する。ＣＰＵ５は、その特定された地域情報２ａと関連づけられた通信仕様２ｂをメモリー２から読み出す。ＣＰＵ５は、その読み出された通信仕様２ｂで通信部１を動作させて、セルサーチを実行する。また、ＣＰＵ５は、キー入力部３に現在位置を入力することをユーザに促す旨の入力要求を表示装置４に表示させる。【選択図】      図１
2007020049.tif 000002
【特許請求の範囲】
【請求項１】
通信可能な無線基地局を探すためのセルサーチを行う携帯端末装置であって、
予め定められた複数の通信仕様のいずれでも通信可能な通信部と、
地域を示す地域情報と、前記通信部が前記地域に存在する無線基地局と通信するときの前記通信部の通信仕様と、を関連づけて格納する格納部と、
ユーザから現在位置を受け付ける入力部と、
前記入力部が前記現在位置を受け付けると、該現在位置が含まれる地域を示す地域情報と関連づけられた通信仕様を前記格納部から読み出し、その読み出された通信仕様で前記通信部を動作させて前記セルサーチを実行する制御部と、を含む携帯端末装置。
【請求項２】
請求項１に記載の携帯端末装置において、
前記通信部は、予め定められた複数種類の無線通信システムのそれぞれに対応する通信仕様のいずれでも通信可能である、携帯端末装置。
【請求項３】
請求項１に記載の携帯端末装置において、
前記通信部は、同一種類の無線通信システムで使用される予め定められた複数の周波数バンドのいずれでも通信可能である、携帯端末装置。
【請求項４】
請求項１に記載の携帯端末装置において、
前記通信部は、予め定められた複数種類の無線通信システムのそれぞれに対応する通信仕様、および、同一種類の前記無線通信システムで使用される予め定められた複数の周波数バンドのいずれでも通信可能である、携帯端末装置。
【請求項５】
請求項１ないし４のいずれか１項に記載の携帯端末装置において、
前記入力部に前記現在位置を入力することを前記ユーザに促す旨の入力要求を表示する表示部をさらに含む、携帯端末装置。
【請求項６】
請求項５に記載の携帯端末装置において、
前記現在位置を特定するための位置情報を受信する受信部をさらに含み、
前記制御部は、前記受信部が前記位置情報に基づいて前記現在位置を特定すると、その特定された現在位置が含まれる地域を示す地域情報と関連づけられた通信仕様を前記格納部から読み出し、その読み出された通信仕様で前記通信部を動作させて前記セルサーチを実行し、一方、前記受信部が前記位置情報の受信に失敗すると、前記表示部に前記入力要求を表示させる、携帯端末装置。
【請求項７】
地域を示す地域情報と、前記地域に存在する無線基地局と通信するときの通信仕様と、を関連づけて格納する格納部を含み、通信可能な無線基地局を探すためのセルサーチを行う、予め定められた複数の通信仕様のいずれでも通信可能な携帯端末装置が行うセルサーチ方法であって、
ユーザから現在位置を受け付ける入力ステップと、
前記現在位置が受け付けられると、該現在位置が含まれる地域を示す地域情報と関連づけられた通信仕様を前記格納部から読み出す読み出しステップと、
前記読み出された通信仕様で前記セルサーチを実行する実行ステップと、を含むセルサーチ方法。
【請求項８】
請求項７に記載のセルサーチ方法において、
前記携帯端末装置は、予め定められた複数種類の無線通信システムのそれぞれに対応する通信仕様のいずれでも通信可能である、セルサーチ方法。
【請求項９】
請求項７に記載のセルサーチ方法において、
前記携帯端末装置は、同一種類の無線通信システムで使用される予め定められた複数の周波数バンドのいずれでも通信可能である、セルサーチ方法。
【請求項１０】
請求項７に記載のセルサーチ方法において、
前記携帯端末装置は、予め定められた複数種類の無線通信システムのそれぞれに対応する通信仕様、および、同一種類の前記無線通信システムで使用される予め定められた複数の周波数バンドのいずれでも通信可能である、セルサーチ方法。
【請求項１１】
請求項７ないし１０のいずれか１項に記載のセルサーチ方法において、
前記現在位置を入力することを前記ユーザに促す旨の入力要求を表示する表示ステップをさらに含む、セルサーチ方法。
【請求項１２】
請求項１１に記載のセルサーチ方法において、
前記現在位置を特定するための位置情報を受信する受信ステップと、
前記位置情報に基づいて前記現在位置を特定する特定ステップと、
前記特定された現在位置が含まれる地域を示す地域情報と関連づけられた通信仕様を前記格納部から読み出し、その読み出された通信仕様で前記通信部を動作させて前記セルサーチを実行するセルサーチステップと、
前記位置情報の受信に失敗すると、前記入力要求を表示する入力要求表示ステップと、をさらに含み、セルサーチ方法。
【発明の詳細な説明】
【技術分野】
【０００１】
本発明は、携帯端末装置およびセルサーチ方法に関し、例えば、複数種類の無線通信システム、および、同一種類の無線通信システムで使用される複数の周波数バンドに対応した携帯端末装置およびセルサーチ方法に関する。
【背景技術】
【０００２】
従来、複数種類の無線通信システムに対応した携帯端末装置が知られている。例えば、近年のＷＣＤＭＡ（Wideband Code Division Multiple Access）方式の普及に伴い、コアネットワークの形式がＷＣＤＭＡ方式と共通のＧＳＭ（Global System for Mobile Communications）方式と、ＷＣＤＭＡ方式と、に対応した携帯端末装置が増加している。
【０００３】
なお、ＷＣＤＭＡ方式およびＧＳＭ方式では、国または地域によって周波数バンドが異なる。例えば、ＧＳＭ方式では、北欧では900MHz帯および1800MHz帯が使われるが、北米では850MHz帯および1900MHz帯が使われている。
【０００４】
このため、同一種類の無線通信システムを複数の国または地域で使用できるように、同一種類の無線通信システムにて使用される複数の周波数バンドに対応した携帯端末装置が知られている。
【０００５】
また、複数種類の無線通信システム、および、同一種類の無線通信システムで使用される複数の周波数バンドに対応した携帯端末装置も知られている。
【０００６】
携帯端末装置は、通信可能な基地局を探すためにセルサーチを行う。セルサーチの一種として全バンドサーチがある。
【０００７】
全バンドサーチでは、携帯端末装置は、自己が対応する無線通信システムごとに、その通信システムで自己が対応する周波数バンドを順番に切り換えて、通信可能な基地局を探す。
【０００８】
このため、携帯端末装置では、自己が対応する無線通信システムおよび周波数バンドが増加すると、全バンドサーチに要する時間および消費電流も増加する。全バンドサーチに要する時間および消費電流の増加は、セルサーチ時間の増加およびバッテリーライフの短縮の原因となる。
【０００９】
以下、全バンドサーチに関する問題を、図６を参照して詳細に説明する。
【００１０】
図６は、従来の、複数種類の無線システムと、同一種類の無線システムで使用される複数の周波数バンドと、に対応する携帯端末装置の電源オンから待ち受け時までの動作を示したフローチャートである。
【００１１】
図６に示したように、セルサーチは、できるだけ短時間で完了するように、複数段階に分けて行われる。
【００１２】
具体的には、携帯端末装置は、前回に位置登録したセル（無線基地局）を最初にサーチする。前回に位置登録したセルがみつからない場合、携帯端末装置は、無線事業者の指定する優先順位の高いセルをサーチする。それでもセルがみつからない場合には、携帯端末装置は、全バンドサーチを行う。
【００１３】
全バンドサーチでは、携帯端末装置が対応している無線通信システムごとに、その無線通信システムにおいて携帯端末装置が対応しているすべての周波数バンドがサーチされる。このため、全バンドサーチは時間がかかり、他のセルサーチに比べて電力を消費する。
【００１４】
そのため、一般に、バッテリーライフを鑑みて、携帯端末装置が、携帯端末装置に挿入されたＵＳＩＭ（Universal Subscriber Identity Module）カードに記録された契約無線事業者が無線通信サービスを提供している圏内（以下、単に「圏内」と称する。）から外れた圏外にいるときに、全バンドサーチが頻繁に行われないように、携帯端末装置は設定されている。
【００１５】
携帯端末装置は、圏内で通常に使われている場合は、図６に示したセルサーチ方法を実行しても問題ない。
【００１６】
しかしながら、圏外でローミングが行われる場合、全バンドサーチにより、はじめて通信可能なセルが発見されることが想定される。このような場合、図６で示した方法が実行されると、セルサーチに時間がかかる。
【００１７】
また、全バンドサーチは、他のセルサーチに比べて多くの電力を消費する。このため、全バンドサーチは、頻繁に行われない。よって、携帯端末装置は、全バンドサーチによるセルサーチを行っても通信可能なセルを発見できないと、次に全バンドサーチを行うまで、所定の時間待たなければならない。したがって、セルサーチにかかる時間は、さらに増加する。
【００１８】
一方、携帯端末装置が圏内にいても、電源オンした場所が、たまたま、ビルの中等の圏外となる場合、携帯端末装置は、その圏外にいる間、全バンドサーチを繰り返す。
【００１９】
このため、同一種類の無線通信システムで使用される複数の周波数バンドに対応している携帯端末装置は、図６に示したセルサーチ方法を実行すると、その国では認可されていない周波数バンドのセルまでサーチしてしまう。その結果、無駄な電力が消費され、バッテリーライフが低下する。
【００２０】
また、ＷＣＤＭＡ方式とＧＳＭ方式とに対応している携帯端末装置は、図６に示したセルサーチ方法を実行すると、日本国内のＷＣＤＭＡ方式の圏外で、日本国内で提供されていないＧＳＭ方式の周波数バンドをサーチしたり、また、海外のＧＳＭ方式の圏外で、海外でまだサービスが提供されていないＷＣＤＭＡ方式の周波数バンドをサーチしたりしてしまう。
【００２１】
特許文献１（特開２００４−２３３９１号公報）には、セルサーチの高速化および省電力化を図ることが可能な携帯端末装置が記載されている。以下、この携帯端末装置について簡単に説明する。
【００２２】
この携帯端末装置は、複数種類の無線通信システムに対応するとともに、同じ無線通信システムで使用される複数の周波数バンドにも対応する。
【００２３】
この携帯端末装置は、予め、国番号（ＭＣＣ：Mobile Country Code）と、その国番号にて識別される国にて所定の無線通信システムを提供しているオペレータの名称と、そのオペレータに割り当てられている周波数バンドと、を関連づけて格納する記憶部を有する。
【００２４】
また、この携帯端末装置は、予め、自己が対応している無線通信システムを提供しているオペレータの名称を格納する外部記憶部を有する。
【００２５】
この携帯端末装置は、無線基地局から発信されている報知情報から国番号を取得すると、その取得された国番号と、外部記憶部に格納されているオペレータの名称と、に関連づけられている周波数バンドを、記憶部から読み出す。なお、国番号は、携帯端末装置の位置を示す。
【００２６】
この携帯端末装置は、その読み出された周波数バンドをセルサーチの対象として決定し、その決定された周波数バンドでセルサーチを実行する。
【００２７】
このように、この携帯端末装置は、無線基地局から発信された報知情報から取得した国番号に基づいて、サーチ対象となる周波数バンドを限定する。このため、この携帯端末装置は、サーチ対象となる周波数バンドを限定しない携帯端末装置に比べて、セルサーチ時間の短縮および省電力を図ることが可能となる。
【００２８】
また、特許文献２（特開２０００−１３８９６１号公報）には、ＧＰＳ（Global Positioning System）を用いて、現在位置を検出する携帯端末装置が記載されている。
【特許文献１】特開２００４−２３３９１号公報
【特許文献２】特開２０００−１３８９６１号公報
【発明の開示】
【発明が解決しようとする課題】
【００２９】
特許文献１に記載の携帯端末装置は、無線基地局から発信された報知情報から国番号を取得する。
【００３０】
このため、この携帯端末装置は、無線基地局と通信できる状況（例えば、待ち受け中）のときのみ、セルサーチ時間の短縮および省電力を図ることが可能になる。換言すると、この携帯端末装置は、無線基地局と通信できない状況（例えば、圏外）では、セルサーチ時間の短縮および省電力を図ることができない。
【００３１】
そこで、特許文献１に記載の携帯端末装置が、無線基地局から国番号を取得する代わりに、特許文献２に記載のようにＧＰＳを用いて現在位置を検出し、その検出された現在位置に基づいて、サーチ対象を限定することが考えられる。この場合、携帯端末装置は、無線基地局と通信できない状況でも、ＧＰＳ信号を受信できれば、セルサーチ時間の短縮および省電力を図ることが可能になる。
【００３２】
しかしながら、例えば、ビル内等でＧＰＳ信号を受信できないと、携帯端末装置は、セルサーチ時間の短縮および省電力を図ることができない。
【００３３】
本発明の目的は、携帯端末装置が現在位置を示す情報を受信しなくても、セルサーチ時間の短縮および省電力を図ることが可能な携帯端末装置およびそのセルサーチ方法を提供することである。
【課題を解決するための手段】
【００３４】
上記の目的を達成するために、本発明の携帯端末装置は、通信可能な無線基地局を探すためのセルサーチを行う携帯端末装置であって、予め定められた複数の通信仕様のいずれでも通信可能な通信部と、地域を示す地域情報と、前記通信部が前記地域に存在する無線基地局と通信するときの前記通信部の通信仕様と、を関連づけて格納する格納部と、ユーザから現在位置を受け付ける入力部と、前記入力部が前記現在位置を受け付けると、該現在位置が含まれる地域を示す地域情報と関連づけられた通信仕様を前記格納部から読み出し、その読み出された通信仕様で前記通信部を動作させて前記セルサーチを実行する制御部とを含む。
【００３５】
また、本発明のセルサーチ方法は、地域を示す地域情報と、前記地域に存在する無線基地局と通信するときの通信仕様と、を関連づけて格納する格納部を含み、通信可能な無線基地局を探すためのセルサーチを行う、予め定められた複数の通信仕様のいずれでも通信可能な携帯端末装置が行うセルサーチ方法であって、ユーザから現在位置を受け付ける入力ステップと、前記現在位置が受け付けられると、該現在位置が含まれる地域を示す地域情報と関連づけられた通信仕様を前記格納部から読み出す読み出しステップと、前記読み出された通信仕様で前記セルサーチを実行する実行ステップとを含む。
【００３６】
上記の発明によれば、セルサーチ実行時の通信仕様が、ユーザから受け付けた現在位置に基づいて決定される。このため、携帯端末装置が現在位置を示す情報を受信しなくても、セルサーチ実行時の通信仕様を限定することが可能となる。したがって、セルサーチ時間の短縮および省電力を図ることが可能となる。
【００３７】
なお、前記携帯端末装置は、予め定められた複数種類の無線通信システムのそれぞれに対応する通信仕様のいずれでも通信可能であることが望ましい。
【００３８】
上記の発明によれば、予め定められた複数種類の無線通信システムに対応する携帯端末装置において、携帯端末装置が現在位置を示す情報を受信しなくても、セルサーチ時間の短縮および省電力を図ることが可能となる。
【００３９】
また、前記携帯端末装置は、同一種類の無線通信システムで使用される予め定められた複数の周波数バンドのいずれでも通信可能であることが望ましい。
【００４０】
上記の発明によれば、同一種類の無線通信システムで使用される予め定められた複数の周波数バンドに対応する携帯端末装置において、携帯端末装置が現在位置を示す情報を受信しなくても、セルサーチ時間の短縮および省電力を図ることが可能となる。
【００４１】
また、前記携帯端末装置は、予め定められた複数種類の無線通信システムのそれぞれに対応する通信仕様および同一種類の前記無線通信システムで使用される予め定められた複数の周波数バンドのいずれでも通信可能であってもよい。
【００４２】
上記の発明によれば、予め定められた複数種類の無線通信システムに対応するとともに同一種類の無線通信システムで使用される予め定められた複数の周波数バンドに対応する携帯端末装置において、携帯端末装置が現在位置を示す情報を受信しなくても、セルサーチ時間の短縮および省電力を図ることが可能となる。
【００４３】
また、前記現在位置を入力することを前記ユーザに促す旨の入力要求を表示することが望ましい。
【００４４】
上記の発明によれば、ユーザが現在位置を入力し忘れることを防止可能になる。
【００４５】
また、前記現在位置を特定するための位置情報が受信され、前記位置情報に基づいて前記現在位置が特定されると、その特定された現在位置が含まれる地域を示す地域情報と関連づけられた通信仕様が前記格納部から読み出され、その読み出された通信仕様で前記セルサーチが実行され、一方、前記位置情報の受信に失敗すると、前記入力要求が表示させることが望ましい。
【００４６】
上記の発明によれば、ユーザによる現在位置の入力が必要なときのみ、具体的には、携帯端末装置が位置情報を受信できないと、入力要求が表示される。このため、ユーザは、現在位置の入力が必要なときのみ、現在位置を入力することが可能になる。
【発明の効果】
【００４７】
本発明によれば、携帯端末装置が現在位置を示す情報を受信しなくても、セルサーチ時間の短縮および省電力を図ることが可能になる。
【発明を実施するための最良の形態】
【００４８】
以下、本発明の実施例を図面を参照して説明する。
【００４９】
図１は、本発明の一実施例の携帯端末装置を示したブロック図である。
【００５０】
図１において、本携帯端末装置は、通信部１と、メモリー２、キー入力部３、表示装置４、および、ＣＰＵ５を含む。通信部１は、アンテナ１１ａおよび１１ｂ、アンテナスイッチ１２ａおよび１２ｂ、無線回路１３ａ〜１３ｅを含む。
【００５１】
携帯端末装置は、予め定められた複数種類の無線通信システム、および、同一種類の無線通信システムで使用される予め定められた複数の周波数バンドに対応する。そのため、携帯端末装置は、予め定められた無線通信システムの予め定められた周波数バンドにそれぞれ対応する複数の無線回路を含む。
【００５２】
本実施例では、携帯端末装置は、無線通信システムＡおよびＢに対応する。無線通信システムＡは、例えば、ＧＳＭ方式の無線通信システムであり、無線通信システムＢは、例えば、ＷＣＤＭＡ方式の無線通信システムである。
【００５３】
また、本実施例では、携帯端末装置は、無線通信システムＡにて使用されている３つの周波数バンド（バンド１〜３）に対応し、また、無線通信システムＢにて使用されている２つの周波数バンド（バンド４〜５）に対応する。
【００５４】
無線通信システムＡに対応する構成は、アンテナ１１ａ、アンテナスイッチ１２ａ、および、無線回路１３ａ〜１３ｃを含むアナログ回路である。また、無線通信システムＢに対応する構成は、アンテナ１１ｂ、アンテナスイッチ１２ｂ、無線回路１３ｄ〜１３ｅを含むアナログ回路である。
【００５５】
無線回路１３ａは、無線通信システムＡの周波数バンド１に対応し、無線回路１３ｂは、無線通信システムＡの周波数バンド２に対応し、無線回路１３ｃは、無線通信システムＡの周波数バンド３に対応し、無線回路１３ｄは、無線通信システムＢの周波数バンド４に対応し、無線回路１３ｅは、無線通信システムＢの周波数バンド５に対応する。
【００５６】
なお、本実施例では、５つの無線回路１３ａ〜１３ｅを含むが、無線回路は５つに限らず２つ以上であればよい。
【００５７】
例えば、携帯端末装置は、無線回路１３ａ〜１３ｅのうち、無線回路１３ａと１３ｄのみを含んでもよい。この場合、携帯端末装置（具体的には、通信部１）は、予め定められた複数種類の無線通信システムのそれぞれに対応する通信仕様のいずれでも通信可能となる。
【００５８】
また、例えば、携帯端末装置は、無線回路１３ａ〜１３ｅのうち、無線回路１３ａ〜１３ｃのみを含んでもよい。この場合、携帯端末装置（具体的には、通信部１）は、同一種類の無線通信システムで使用される予め定められた複数の周波数バンドのいずれでも通信可能となる。
【００５９】
また、アンテナおよびアンテナスイッチの構成は、適宜変更可能である。
【００６０】
携帯端末装置は、通信可能な無線基地局を探すためのセルサーチを行う。
【００６１】
通信部１は、予め定められた複数の通信仕様のいずれでも通信可能である。本実施例では、通信部１は、無線通信システムＡの３つの周波数バンドのそれぞれに対応した通信仕様、および、無線通信システムＢにて使用されている２つの周波数バンドのそれぞれに対応した通信仕様のいずれでも通信可能である。
【００６２】
アンテナ１１ａは、無線通信システムＡの無線基地局と通信する。
【００６３】
アンテナスイッチ１２ａは、ＣＰＵ５から提供された指示に基づいて、アンテナ１１ａと、無線回路１３ａ〜１３ｃとの接続を切り換える。
【００６４】
無線回路１３ａは、アンテナスイッチ１２ａを介してアンテナ１１ａと接続されると、無線通信システムＡのバンド１（通信仕様）で通信を行う。
【００６５】
無線回路１３ｂは、アンテナスイッチ１２ａを介してアンテナ１１ａと接続されると、無線通信システムＡのバンド２（通信仕様）で通信を行う。
【００６６】
無線回路１３ｂは、アンテナスイッチ１２ａを介してアンテナ１１ａと接続されると、無線通信システムＡのバンド３（通信仕様）で通信を行う。
【００６７】
アンテナ１１ｂは、無線通信システムＢの無線基地局と通信する。
【００６８】
アンテナスイッチ１２ｂは、ＣＰＵ５から提供された指示に基づいて、アンテナ１１ｂと、無線回路１３ｄ〜１３ｅとの接続を切り換える。
【００６９】
無線回路１３ｄは、アンテナスイッチ１２ｂを介してアンテナ１１ｂと接続されると、無線通信システムＢのバンド４（通信仕様）で通信を行う。
【００７０】
無線回路１３ｅは、アンテナスイッチ１２ｂを介してアンテナ１１ｂと接続されると、無線通信システムＢのバンド５（通信仕様）で通信を行う。
【００７１】
メモリー２は、格納部の一例である。メモリー２は、地域を示す地域情報と、通信部１がその地域に存在する無線基地局と通信するときの通信部１の通信仕様と、を関連づけて格納する。なお、メモリー２に格納されている通信仕様は、通信部１にて実行可能（上記予め定められた複数の通信仕様のいずれか）である。
【００７２】
図２は、メモリー２の一例を示した説明図である。
【００７３】
図２において、メモリー２は、地域情報２ａと、通信仕様２ｂとを関連づけて格納する。例えば、図２において、「フランスのパリ」は、無線通信システムＡのバンド１および２と、無線通信システムＢのバンド４と関連づけられている。
【００７４】
図１に戻って、キー入力部３は、入力部の一例である。キー入力部３は、ユーザから現在位置を受け付ける。また、キー入力部３は、電源スイッチ（不図示）を含む。
【００７５】
表示装置４は、表示部の一例であり、種々の情報を表示する。
【００７６】
ＣＰＵ５は、制御部の一例である。ＣＰＵ５は、ベースバンド回路を含む。なお、ベースバンド回路は、ＣＰＵ５と別体でもよい。ＣＰＵ５は、通信部１、メモリー２、キー入力部３、および、表示装置４と接続されている。
【００７７】
ＣＰＵ５は、携帯端末装置を制御する。
【００７８】
例えば、ＣＰＵ５は、キー入力部３がユーザから現在位置を受け付けると、メモリー２に格納されている地域情報２ａの中から、その受け付けられた現在位置が含まれる地域を示す地域情報２ａを特定する。ＣＰＵ５は、その特定された地域情報２ａと関連づけられた通信仕様２ｂをメモリー２から読み出す。
【００７９】
ＣＰＵ５は、その読み出された通信仕様２ｂで通信部１を動作させて、セルサーチを実行する。
【００８０】
また、ＣＰＵ５は、キー入力部３に現在位置を入力することをユーザに促す旨の入力要求を表示装置４に表示させる。
【００８１】
なお、携帯端末装置には、携帯電話機に必要なスピーカーおよびレシーバー等が存在するが、これらは、本発明の効果に影響しないため、それらの説明を省略する。
【００８２】
次に、動作を説明する。
【００８３】
図３は、図１に示した携帯端末装置の動作を説明するためのフローチャートである。以下、図３を参照して、携帯端末装置の動作を説明する。
【００８４】
キー入力部３の電源スイッチがオンされると、ステップ３０１が実行される。
【００８５】
ステップ３０１では、携帯端末装置に電源が供給される。携帯端末装置に電源が供給されると、ＣＰＵ５は、ステップ３０２を実行する。
【００８６】
ステップ３０２では、ＣＰＵ５は、現在位置の確認をユーザに促すメッセージを表示装置４に表示する。
【００８７】
具体的には、ＣＰＵ５は、前回の電源オフ時にＣＰＵ５に設定されていた現在位置を表示装置４に表示するとともに、その表示された現在位置が正しいか否かの確認をユーザに促すメッセージ（例えば、「表示された現在位置は正しいですか」というメッセージ）を表示装置４に表示する。なお、
ユーザは、その確認の結果を、キー入力部３に入力する。キー入力部３がユーザの確認結果を受け付けると、ＣＰＵ５は、ステップ３０３を実行する。
【００８８】
ステップ３０３では、ＣＰＵ５は、ユーザの確認結果が、現在位置は合っている旨を示すか否かを判断する。
【００８９】
ＣＰＵ５は、ユーザの確認結果が、現在位置は合っていない旨を示す場合、ステップ３０４を実行し、また、ユーザの確認結果が、現在位置は合っている旨を示す場合、ステップ３０５を実行する。
【００９０】
ステップ３０４では、ＣＰＵ５は、キー入力部３に現在位置を入力することをユーザに促す旨の入力要求を表示装置４に表示させる。
【００９１】
ユーザは、その入力要求に応じて、現在位置をキー入力部３に入力する。キー入力部３がユーザから現在位置を受け付けると、ＣＰＵ５は、その受け付けられた現在位置を自己に設定する。ＣＰＵ５は、現在位置を設定すると、ステップ３０５を実行する。
【００９２】
ステップ３０５では、ＣＰＵ５は、現在位置で提供されている無線通信システムのサービス情報（通信仕様）をメモリー２から取得し、その取得された通信仕様を、セルサーチ対象として、ＣＰＵ５に登録する。なお、ＣＰＵ５は、その取得された通信仕様をＣＰＵ５に登録する前に、ＣＰＵ５に登録されていた通信仕様を削除する。
【００９３】
具体的には、ＣＰＵ５は、メモリー２に格納されている地域情報２ａの中から、ＣＰＵ５に設定されている現在位置が含まれる地域を示す地域情報２ａを特定する。
【００９４】
ＣＰＵ５は、その特定された地域情報２ａと関連づけられた通信仕様２ｂ（無線通信システムとその周波数バンド）をメモリー２から読み出す。
【００９５】
ＣＰＵ５は、その読み出された通信仕様２ｂ（現在位置でサービスされている無線通信システムとその周波数バンド）を、セルサーチ対象として、ＣＰＵ５に登録する。
【００９６】
例えば、現在位置がフランスのパリの場合、無線通信システムＡのバンド１とバンド２、および、無線通信システムＢのバンド２が、セルサーチ対象として、ＣＰＵ５に登録される。
【００９７】
続いて、ＣＰＵ５は、現在位置が変更されたか否かの確認をユーザに促すメッセージを表示装置４に表示する。
【００９８】
具体的には、ＣＰＵ５は、ＣＰＵ５に設定されている現在位置を表示装置４に表示するとともに、その表示された現在位置が変更されたか否かの確認をユーザに促すメッセージ（例えば、「表示された現在位置は変更されましたか」というメッセージ）を表示装置４に表示する。
【００９９】
ユーザは、その確認の結果を、キー入力部３に入力する。キー入力部３がユーザの確認結果を受け付けると、ＣＰＵ５は、ステップ３０６を実行する。
【０１００】
ステップ３０６では、ＣＰＵ５は、ユーザの確認結果が、現在位置が変更された旨を示すか否かを判断する。
【０１０１】
ＣＰＵ５は、ユーザの確認結果が、現在位置が変更された旨を示す場合、ステップ３０７を実行し、また、ユーザの確認結果が、現在位置が変更されていない旨を示す場合、ステップ３０８を実行する。
【０１０２】
ステップ３０７では、ＣＰＵ５は、キー入力部３に現在位置を入力することをユーザに促す旨の入力要求を表示装置４に表示させる。
【０１０３】
ユーザは、その入力要求に応じて、現在位置をキー入力部３に入力する。キー入力部３がユーザから現在位置を受け付けると、ＣＰＵ５は、その受け付けられた現在位置を自己に設定する。ＣＰＵ５は、現在位置を設定すると、ステップ３０９を実行する。なお、ステップ３０９での処理は、ステップ３０５での処理と同様である。
【０１０４】
ＣＰＵ５は、ステップ３０９を終了すると、ステップ３０８を実行する。
【０１０５】
ステップ３０８では、ＣＰＵ５は、前回位置登録したセルがサービス中であるか否かを判断する。なお、ＣＰＵ５は、前回位置登録したセル（例えば、そのセルの通信仕様）を記憶している。
【０１０６】
具体的には、ＣＰＵ５は、前回位置登録したセルがセルサーチ対象に含まれていると、前回位置登録したセルがサービス中であると判断してステップ３１０を実行し、一方、前回位置登録したセルがセルサーチ対象に含まれていないと、前回位置登録したセルがサービス中でないと判断してステップ３１１を実行する。
【０１０７】
ステップ３１０では、ＣＰＵ５は、前回位置登録したセルをサーチする。
【０１０８】
具体的には、まず、ＣＰＵ５は、前回位置登録したセルの通信仕様に応じた無線回路を、無線回路１３ａ〜１３ｅの中から選択する。
【０１０９】
続いて、ＣＰＵ５は、その選択された無線回路が前回位置登録されたセル内の無線基地局と通信できるように、アンテナスイッチ１２ａおよび１２ｂを制御して、その選択された無線回路をアンテナ１１ａまたは１１ｂと接続する。
【０１１０】
続いて、ＣＰＵ５は、その選択された無線回路を用いてセルサーチを行う。なお、ＣＰＵ５がステップ３１０で行うセルサーチは、従来のセルサーチと同様である。
【０１１１】
ＣＰＵ５は、ステップ３１０でのセルサーチが終了すると、ステップ３１１を実行する。
【０１１２】
ステップ３１１では、ＣＰＵ５は、通信可能なセルを発見したか否かを判断する。
【０１１３】
ＣＰＵ５は、通信可能なセルを発見したら、ステップ３１８を実行し、一方、通信可能なセルを発見しないと、ステップ３１２を実行する。
【０１１４】
ステップ３１２では、ＣＰＵ５は、予め無線事業者にて指定された優先順位の高いセルがサービス中であるか否かを判断する。なお、ＣＰＵ５は、予め無線事業者にて指定された優先順位の高いセル（そのセルの通信仕様）を記憶している。
【０１１５】
具体的には、ＣＰＵ５は、その優先順位の高いセルがセルサーチ対象に含まれていると、その優先順位の高いセルがサービス中であると判断してステップ３１３を実行し、一方、その優先順位の高いセルがセルサーチ対象に含まれていないと、その優先順位の高いセルがサービス中でないと判断してステップ３１４を実行する。
【０１１６】
ステップ３１３では、ＣＰＵ５は、その優先順位の高いセルをサーチする。
【０１１７】
具体的には、まず、ＣＰＵ５は、その優先順位の高いセルの通信仕様に応じた無線回路を、無線回路１３ａ〜１３ｅの中から選択する。
【０１１８】
続いて、ＣＰＵ５は、その選択された無線回路がその優先順位の高いセル内の無線基地局と通信できるように、アンテナスイッチ１２ａおよび１２ｂを制御して、その選択された無線回路をアンテナ１１ａまたは１１ｂと接続する。
【０１１９】
続いて、ＣＰＵ５は、その選択された無線回路を用いてセルサーチを行う。なお、ＣＰＵ５がステップ３１３で行うセルサーチは、従来のセルサーチと同様である。
【０１２０】
ＣＰＵ５は、ステップ３１３でのセルサーチが終了すると、ステップ３１４を実行する。
【０１２１】
ステップ３１４では、ＣＰＵ５は、通信可能なセルを発見したか否かを判断する。
【０１２２】
ＣＰＵ５は、通信可能なセルを発見したら、ステップ３１８を実行し、一方、通信可能なセルを発見しないと、ステップ３１５を実行する。
【０１２３】
ステップ３１５では、ＣＰＵ５は、ＣＰＵ５にセルサーチ対象として登録された通信仕様に対応する無線回路のみを用いて、全バンドサーチを行う。このため、ステップ３１５の全バンドサーチでは、ＣＰＵ５にセルサーチ対象として登録されていない通信仕様に対応する無線回路は、使用されない。
【０１２４】
具体的には、まず、ＣＰＵ５は、セルサーチ対象として登録された通信仕様から１つの通信仕様を選択する。
【０１２５】
続いて、ＣＰＵ５は、その選択された通信仕様に応じた無線回路を選択する。
【０１２６】
続いて、ＣＰＵ５は、その選択された無線回路が無線基地局と通信できるように、アンテナスイッチ１２ａおよび１２ｂを制御して、その選択された無線回路をアンテナ１１ａまたは１１ｂと接続する。
【０１２７】
続いて、ＣＰＵ５は、その選択された無線回路を用いてセルサーチを行う。
【０１２８】
ＣＰＵ５は、このセルサーチで通信可能なセルを発見できないと、セルサーチ対象として登録された通信仕様の中から、未だ選択されていない通信仕様を１つ選択する。
【０１２９】
続いて、ＣＰＵ５は、その選択された通信仕様に応じた無線回路を選択する。
【０１３０】
続いて、ＣＰＵ５は、その選択された無線回路が無線基地局と通信できるように、アンテナスイッチ１２ａおよび１２ｂを制御して、その選択された無線回路をアンテナ１１ａまたは１１ｂと接続する。
【０１３１】
続いて、ＣＰＵ５は、その選択された無線回路を用いてセルサーチを行う。
【０１３２】
ＣＰＵ５は、セルサーチで通信可能なセルを発見できないと、セルサーチ対象として登録された通信仕様がすべて選択されるまで、上記の動作を繰り返す。
【０１３３】
ＣＰＵ５は、ステップ３１５での全バンドサーチが終了すると、ステップ３１６を実行する。
【０１３４】
ステップ３１６では、ＣＰＵ５は、通信可能なセルを発見したか否かを判断する。
【０１３５】
ＣＰＵ５は、通信可能なセルを発見したら、ステップ３１８を実行し、一方、通信可能なセルを発見しないと、ステップ３１７を実行する。
【０１３６】
ステップ３１７では、ＣＰＵ５は、表示装置４に圏外である旨（例えば、「圏外」）を表示させる。ＣＰＵ５は、表示装置４に圏外である旨を表示させると、ステップ３０６を実行する。
【０１３７】
一方、ステップ３１８では、ＣＰＵ５は、発見したセル（具体的には、発見したセルを生成している無線基地局）に位置を登録する。ＣＰＵ５は、位置を登録すると、ステップ３１９を実行する。
【０１３８】
ステップ３１９では、ＣＰＵ５は、圏外を検出したか否か判断する。
【０１３９】
ＣＰＵ５は、圏外を検出すると、ステップ３１７を実行する。なお、ステップ３１７の後、ステップ３０６が実行されるため、ユーザの移動にともない、ユーザがキー入力部３を操作して現在位置の設定を変更した場合は、ＣＰＵ５は、メモリー２を参照して、セルサーチ対象を更新する。
【０１４０】
一方、ＣＰＵ５は、圏外を検出しないと、ステップ３２０を実行する。
【０１４１】
ステップ３２０では、ＣＰＵ５は、携帯端末装置の移動により、携帯端末装置が存在するセルが変わったか否かを判断する。ＣＰＵ５は、セルの変更を検出すると、ステップ３２を実行し、セルの変更を検出しないと、ステップ３１９を実行する。
【０１４２】
本実施例によれば、ＣＰＵ５は、セルサーチ実行時の通信仕様を、キー入力部３がユーザから受け付けた現在位置に基づいて決定する。このため、携帯端末装置が現在位置を示す情報を受信しなくても、セルサーチ実行時の通信仕様を限定することが可能となる。したがって、セルサーチ時間の短縮および省電力を図ることが可能となる。
【０１４３】
また、本実施例では、通信部１は、予め定められた複数種類の無線通信システムのそれぞれに対応する通信仕様のいずれでも通信可能である。この場合、予め定められた複数種類の無線通信システムに対応する携帯端末装置において、携帯端末装置が現在位置を示す情報を受信しなくても、セルサーチ時間の短縮および省電力を図ることが可能となる。
【０１４４】
また、本実施例では、通信部１は、同一種類の無線通信システムで使用される予め定められた複数の周波数バンドのいずれでも通信可能である。この場合、同一種類の無線通信システムで使用される予め定められた複数の周波数バンドに対応する携帯端末装置において、携帯端末装置が現在位置を示す情報を受信しなくても、セルサーチ時間の短縮および省電力を図ることが可能となる。
【０１４５】
また、本実施例では、通信部１は、予め定められた複数種類の無線通信システムのそれぞれに対応する通信仕様および同一種類の前記無線通信システムで使用される予め定められた複数の周波数バンドのいずれでも通信可能である。
【０１４６】
この場合、予め定められた複数種類の無線通信システムに対応するとともに同一種類の無線通信システムで使用される予め定められた複数の周波数バンドに対応する携帯端末装置において、携帯端末装置が現在位置を示す情報を受信しなくても、セルサーチ時間の短縮および省電力を図ることが可能となる。
【０１４７】
また、本実施例では、表示装置４は、現在位置を入力することをユーザに促す旨の入力要求を表示する。この場合、ユーザが現在位置を入力し忘れることを防止可能になる。
【０１４８】
また、本実施例においては、以下に記載するような効果を奏する。
【０１４９】
効果１：携帯端末装置の電源オン後の初回のセルサーチ時に、無線通信サービスを提供していない無線通信システムまたは周波数バンドのサーチが行われないため、セルサーチに要する時間が短縮される。特に、ローミング時に、全バンドサーチでセルが初めて見つかるような場合に、セルサーチに要する時間の短縮は顕著となる。
【０１５０】
効果２：携帯端末装置が完全圏外にいる場合、周期的に行う全バンドセルサーチ時に、無線通信サービスを提供していない無線通信システムまたは周波数バンドのサーチを行わないため、無線通信サービスを提供していない無線通信システムおよび周波数バンドのサーチを行う場合に比べて、消費電流を削減することが可能になる。
【０１５１】
次に、本発明の他の実施例を説明する。
【０１５２】
図４は、本発明の他の実施例の携帯端末装置を示したブロック図である。なお、図４において、図１に示したものと同一のものには同一符号を付してある。
【０１５３】
図４に示した携帯端末装置では、図１に示した携帯端末装置に、アンテナ１１ｃと、ＧＰＳ信号を受信する無線回路１３ｆとが付加され、ＣＰＵ５がＣＰＵ５ａに変更されている。
【０１５４】
以下、図１に示した携帯端末装置と異なる点を中心に、図４に示した携帯端末装置を説明する。
【０１５５】
図１に示した携帯端末装置では、携帯端末装置のユーザが、マニュアルで現在位置を設定した。しかしながら、本実施例では、無線回路１３ｆが現在位置を検出できると、ＣＰＵ５ａは、その検出された現在位置に基づいて、現在位置を自動的に設定したり、その設定されている現在位置を自動的に更新したりする。
【０１５６】
アンテナ１１ｃは、ＧＰＳ信号を受信する。ＧＰＳ信号は、現在位置を特定するための位置情報である。
【０１５７】
無線回路１３ｆは、アンテナ１１ｃにて受信されたＧＰＳ信号に基づいて、現在位置を特定する。無線回路１３ｆは、その特定された現在位置をＣＰＵ５ａに提供する。
【０１５８】
ＣＰＵ５ａは、ＣＰＵ５と同様の機能を含む。
【０１５９】
なお、ＣＰＵ５ａは、ＣＰＵ５と異なり、無線回路１３ｆが位置情報に基づいて現在位置を特定すると、その特定された現在位置が含まれる地域を示す地域情報と関連づけられた通信仕様をメモリー２から読み出し、その読み出された通信仕様で通信部１を動作させてセルサーチを実行する。
【０１６０】
また、ＣＰＵ５ａは、無線回路１３ｆが位置情報の受信に失敗すると、表示装置４に、現在位置を入力することをユーザに促す旨の入力要求を表示させる。
【０１６１】
図５は、図４に示した携帯端末装置の動作を説明するためのフローチャートである。なお、図５において、図３に示した処理と同じ処理には同一符号を付してある。以下、図５を参照して、図３に示した処理と異なる処理を中心に説明する。
【０１６２】
ステップ３０１にて、携帯端末装置に電源が供給されると、ＣＰＵ５ａは、ステップ５０１を実行する。
【０１６３】
ステップ５０１では、ＣＰＵ５ａは、無線回路１３ｆにＧＰＳ信号を受信させる。
【０１６４】
無線回路１３ｆは、アンテナ１１ｃを介してＧＰＳ信号を受信すると、そのＧＰＳ信号に基づいて現在位置を特定する。無線回路１３ｆは、その特定された現在位置を、ＣＰＵ５ａに提供する。
【０１６５】
なお、無線回路１３ｆは、ＧＰＳ信号を受信できないと、ＧＰＳ信号を受信できなかった旨の受信失敗情報を、ＣＰＵ５ａに提供する。
【０１６６】
ＣＰＵ５ａは、無線回路１３ｆにＧＰＳ信号を受信させると、ステップ５０２を実行する。
【０１６７】
ステップ５０２では、ＣＰＵ５ａは、無線回路１３ｆが現在位置を検出したか否かを判断する。
【０１６８】
具体的には、ＣＰＵ５ａは、無線回路１３ｆから現在位置を受け付けると、無線回路１３ｆが現在位置を検出した判断する。その後、ＣＰＵ５ａは、無線回路１３ｆから提供された現在位置を、自己に設定する。ＣＰＵ５ａは、現在位置を設定すると、ステップ３０５を実行する。
【０１６９】
一方、ＣＰＵ５ａは、無線回路１３ｆから受信失敗情報を受け付けると、無線回路１３ｆが現在位置を検出できなかった判断し、ステップ３０２を実行する。
【０１７０】
例えば、携帯端末装置がビルの屋内等にあり、無線回路１３ｆが、ＧＰＳ信号を受信できない場合は、ＣＰＵ５ａは、図１で示した実施例と同様に、前回の電源オフ時に登録されていた現在位置を表示装置４に表示し、その表示された現在位置が正しいか否かをユーザに確認させる。
【０１７１】
また、ＣＰＵ５ａは、ステップ３０５を終了すると、ステップ５０３を実行する。
【０１７２】
ステップ５０３では、ＣＰＵ５ａは、無線回路１３ｆを用いて、現在位置が変更されたか否かを確認する。
【０１７３】
具体的には、ＣＰＵ５ａは、無線回路１３ｆにＧＰＳ信号を受信させる。その後、ＣＰＵ５ａは、無線回路１３ｆから提供された現在位置が、ＣＰＵ５ａに登録されている現在位置と異なると、現在位置が変更されたと判断して、ステップ５０４を実行する。
【０１７４】
ステップ５０４では、ＣＰＵ５ａは、ＣＰＵ５ａに登録されている現在位置を、無線回路１３ｆから提供された現在位置に変更する。ＣＰＵ５ａは、現在位置を変更すると、ステップ３０９を実行する。
【０１７５】
一方、ＣＰＵ５ａは、無線回路１３ｆから提供された現在位置がＣＰＵ５ａに登録されている現在位置と同じとき、または、無線回路１３ｆから受信失敗情報を受け付けたとき、ステップ３０８を実行する。
【０１７６】
本実施例では、無線回路１３ｆが、現在位置を特定するためのＧＰＳ信号を受信し、そのＧＰＳ信号に基づいて現在位置を特定すると、ＣＰＵ５ａは、その特定された現在位置が含まれる地域を示す地域情報と関連づけられた通信仕様をメモリー２から読み出し、その読み出された通信仕様でセルサーチを実行する。
【０１７７】
一方、無線回路１３ｆがＧＰＳ信号の受信に失敗すると、ＣＰＵ５ａは、現在位置を入力することをユーザに促す旨の入力要求を表示装置４に表示する。
【０１７８】
このため、ユーザによる現在位置の入力が必要なときのみ、具体的には、無線回路１３ｆが位置情報の受信に失敗すると、入力要求が表示される。したがって、ユーザは、現在位置の入力が必要なときのみ、現在位置を入力することが可能になる。よって、図１に示した実施例に比べて、ユーザが現在位置を入力する頻度を低くすることが可能になる。
【０１７９】
以上説明した各実施例において、図示した構成は単なる一例であって、本発明はその構成に限定されるものではない。
【図面の簡単な説明】
【０１８０】
【図１】本発明の一実施例の携帯端末装置を示したブロック図である。
【図２】メモリー２の一例を示した説明図である。
【図３】図１に示した携帯端末装置の動作を説明するためのフローチャートである。
【図４】本発明の他の実施例の携帯端末装置を示したブロック図である。
【図５】図４に示した携帯端末装置の動作を説明するためのフローチャートである。
【図６】従来のセルサーチを説明するためのフローチャートである。
【符号の説明】
【０１８１】
１        通信部
１１ａ〜１１ｃ  アンテナ
１２ａ〜１２ｂ  アンテナスイッチ
１３ａ〜１３ｆ  無線回路
２        メモリー
３        キー入力部
４        表示装置
５、５ａ  ＣＰＵ
【図１】
2007020049.tif 000003
【図２】
2007020049.tif 000004
【図３】
2007020049.tif 000005
【図４】
2007020049.tif 000006
【図５】
2007020049.tif 000007
【図６】
2007020049.tif 000008